(57)【要約】      （修正有）【課題】工場等の大規模空間暖房装置で、全体の空間を適温まで暖めるための時間を短縮し、床近くの作業者が冷えないように暖房効率を改善する。【解決手段】作業用搬送路３と、各作業用搬送路３を移動しながら作業者が乗って作業を行うことが可能な多数の搬送機２と、各々の作業用搬送路３に固定されて設ける加熱装置１とを有し、各搬送機２の床枠材又は／及び床表面を鋼材で構成するとともに、各々の作業用搬送路３に設けられた加熱装置１によって各搬送機２が一つの搬送路３を移動しつつ搬送機２の鋼材からなる床枠材又は／及び床表面を加熱された後、各搬送機２は作業用搬送路３を移動しつつ放熱して作業者Ｐを暖房する搬送機を使用した暖房システムによる。【選択図】図１
2010032177.tif 000002
【特許請求の範囲】
【請求項１】
工場等の大規模空間に設けられる作業用搬送路と、各作業用搬送路を移動しながら作業者が乗って作業を行うことが可能な多数の搬送機と、各々の作業用搬送路の一箇所以上に固定されて設ける加熱装置とを有し、
各搬送機の床枠材又は／及び床表面を鋼材で構成するとともに、各々の作業用搬送路に設けられた加熱装置によって各搬送機が一つの作業用搬送路を移動しつつ搬送機の鋼材からなる床枠材又は／及び床表面を加熱された後、各搬送機は作業用搬送路を移動しつつ放熱して作業者を暖房することを特徴とする搬送機を使用した暖房システム。
【請求項２】
加熱装置が、誘導加熱コイルを有する誘導加熱装置である請求項１に記載の搬送機を使用した暖房システム。
【請求項３】
加熱装置が、各々の搬送路の作業工程の開始位置に設けられる加熱装置である請求項１又は請求項２に記載の搬送機を使用した暖房システム。
【発明の詳細な説明】
【技術分野】
【０００１】
この発明は、工場等の大規模な空間において搬送機を使って作業する作業者を暖房する暖房システムに関する。詳細には工場等の大規模な空間の床近傍の高さに設置される作業用搬送路を移動する多数の搬送機を使用する暖房システムに関する。
【背景技術】
【０００２】
車両組み立て工場等の大規模な作業空間は、作業用搬送路等の搬送装置があること、搬送される車両等の製品の大きさが大きいこと、部品の納入、組み付けが多いことなどの理由により作業空間を間仕切りを設置して、それぞれを暖房することは難しかった。
【０００３】
間仕切り等によって小空間としてそれぞれの空間を暖房することが難しい工場等Ｆの大規模な作業空間は、従来熱源によって暖められた空気をファンと主暖房用ダクト１００によって作業工場へ搬送し、工場内に設けられた複数の温風吹出口より下方へ吹き出され工場内を暖房していた。一般的に各暖房用ダクト１０１は、主暖房用ダクト１００から工場内で枝分かれし搬送装置１０３等の生産ライン設備との干渉を回避するため、図５及び図６に示すように工場の上部に架設されており、その上部に枝分かれした暖房用ダクト１０１が掛け渡されている。その暖房用ダクト１０１には適当な間隔を有して多数の温風吹出口１０２が設けられ温風吹出口１０２から下方へ向け温風が吹き出していた。
【０００４】
また、部分的に寒い箇所がある場合は、局所的な暖房装置１０４を個々に設置して作業者を暖房していた。
【発明の開示】
【発明が解決しようとする課題】
【０００５】
しかし、従来の暖房装置であると工場内の全体の空間を適温まで暖めるために時間が掛かる課題があった。更に、暖房ダクトが生産ライン設備との干渉を回避するため、工場の上部に設けられているため上部に熱が溜まりやすく、作業者が作業する床高さ付近は冷えるため暖房効率が悪い課題があった。
【０００６】
また、暖房は無風である方が快適であるが、工場等の大規模空間では温風を吹き出して暖房するため、温風吹き出し口付近の直接温風が当たる場所で作業を行う作業者にとっては不快感が高く、温風吹き出し口から遠い作業場所は温度上昇が遅く寒い場合があった。また、送風の力を抑えると昇温時間が掛かりすぎるため適切な送風が難しい課題があった。
【０００７】
また、搬送装置を使う工場であると、その搬送装置の上に架設されている高所の暖房ダクトの保守点検や新設等の作業は、搬送装置が停止した非稼働日しか行えない問題点があった。
【課題を解決するための手段】
【０００８】
上記課題を解決するために、工場等の大規模空間に設けられる作業用搬送路と、各作業用搬送路を移動しながら作業者が乗って作業を行うことが可能な多数の搬送機と、各々の作業用搬送路の一箇所以上に固定されて設ける加熱装置とを有し、
各搬送機の床枠材又は／及び床表面を鋼材で構成するとともに、各々の作業用搬送路に設けられた加熱装置によって各搬送機が一つの作業用搬送路を移動しつつ搬送機の鋼材からなる床枠材又は／及び床表面を加熱された後、各搬送機は作業用搬送路を移動しつつ放熱して作業者を暖房することを特徴とする搬送機を使用した暖房システムを提案する。
【０００９】
また、加熱装置が、誘導加熱コイルを有する誘導加熱装置である０００８欄に記載の搬送機を使用した暖房システムを提案する。
【００１０】
更に、加熱装置が、各々の搬送路の作業工程の開始位置に設けられる加熱装置である０００８欄又は０００９欄に記載の搬送機を使用した暖房システムを提案する。
【発明の効果】
【００１１】
この発明によれば、工場等の大規模な空間をする暖房において、従来のように空間上部に架設される暖房用ダクトから下方に吹き出される温風による暖房と異なり、搬送機の床面の加熱により熱は下方から作業者へ輻射されるため、作業者付近を非常に短時間に温度上昇して暖められる効果がある。また、温風を使用しない無風暖房のため作業者に不快感を与えないで暖房できる効果がある。
【００１２】
また、下方からの無風暖房でも床面全面に床暖房を敷設すると、床暖房システムが搬送路を含む生産ラインと干渉してしまうため設置が困難であったが、この発明では、各々の搬送路の作業工程の少なくとも一箇所、例えば作業工程の開始位置に設けたな各加熱装置のみによって暖房ができ、各加熱装置は搬送機に比較しても非常に小型であるので、工期が短く設置費用が低廉で設置することができる。
【００１３】
更に、各搬送機には暖房装置を設けておらず、加熱装置が各々の搬送路の作業工程の少なくとも一箇所に設けられ、しかも床面の高さ近くにのみ設けられ、かつ搬送機に比較しても非常に小型であるため保守、点検が容易であり、新設や改造も容易に行うことができる効果がある。加えてこれらの保守、点検作業、新設、改造作業は、生産ラインの稼働日であっても行うことができる効果がある。
【００１４】
更に又、作業者の作業する搬送機の床面が暖房熱源となっているため、暖房源との距離が非常に近く暖房効率が良いという効果がある。
【００１５】
この発明は、従来の暖房用ダクトと併用することによって従来の暖房用ダクトの温度や送風力を減少させ、不快な温風の直接送風を抑制することができ工場内の上部の温度を抑制でき屋根からの屋外への熱放出を減少させることにより暖房効率や作業環境を向上させることができる。
【発明を実施するための最良の形態】
【００１６】
この発明の実施形態について工場等の大規模空間に設けられる作業用搬送路の一例を示す平面図である図１、各作業用搬送路を移動する１つの搬送機と加熱装置を示す平面図である図２と、同じく図２の側面図である図３と、同じく図２の正面図である図４、同じく図２から搬送機が加熱装置の下を移動しつつ加熱されるところを示す平面図である図５と、同じく図５から搬送機が加熱装置の下を移動しつつ加熱されるところを示す平面図である図６、同じく図５の側面図である図７、同じく図６の側面図である図８とに基づいて説明する。
【００１７】
この発明の搬送機を使用した暖房システムは、工場等Ｆの大規模空間に設けられる作業用搬送路３と、各作業用搬送路３を移動しながら作業者が乗って作業を行うことが可能な多数の搬送機２と、各々の作業用搬送路３の作業工程の一箇所以上に設けられた加熱装置１とを有する。加熱装置１は、この実施形態では誘導加熱コイルを有する誘導加熱装置からなり、作業用搬送路３の１つの作業工程の開始位置４に設けられる。
【００１８】
各搬送機２は、各搬送機２の床枠材２０ａ又は／及び床表面２０ｂを鋼材で構成するとともに、各々の搬送路３の作業工程に設けられた加熱装置１によって各搬送機２が一つの作業工程の搬送路３を移動しつつ搬送機２の鋼材からなる床枠材２０ａ又は/及び床表面２０ｂを加熱された後、各搬送機２は搬送路３を移動しつつ放熱して作業者Ｐを暖房する。
【００１９】
各搬送機２は、平面形状矩形の床枠材２０ａと、床枠部２０ａの上面に設けられた床表面２０ｂからなる床部２０と、床部２０の上面中央部に床表面２０ｂから台状に高くなっている車体載置部２２を設けており、床部２０の下面に４つの走行車輪２１を設けている。各搬送機２は、溝状の各作業用搬送路３を走行移動しながら作業者が乗って作業を行うことが可能である。
【００２０】
作業用搬送路３は、自動車車体等の製造部品を載せて搬送移動する搬送機２が走行する走行路であり、この実施例では走行する搬送機２の幅よりやや広い程度の幅からなる横断面凹字形状の溝で構成されており走行する搬送機２の床表面２０ｂと工場の床面はほぼ同じ高さ面になり、自動車等の生産ラインの一部を構成している。各作業用搬送路３は、それぞれの工場や作業工程によって平面視で見る走路形状は異なるが、図１に示す作業用搬送路３はその一つの実施形態であり、平面視で細長い長方形を成す作業用搬送路３を２つ並べて構成されている。搬送機２は、それぞれの作業用搬送路３を順方向の作業用搬送路３ａ、逆方向の作業用搬送路３ｂを移動してエンドレスに循環し、その間にそれぞれの作業工程が作業者によって行われる。
【００２１】
加熱装置１は、この実施形態では誘導加熱コイル（ＩＨコイル）を用いた誘導加熱装置であるが、放熱式、伝熱式の加熱装置１でもよい。この誘導加熱コイル（ＩＨコイル）を用いた誘導加熱装置１は、各作業用搬送路３の１つ位置に設けられればよいが、この実施形態では１つの作業工程が始まる作業開始位置４に固定されて設けられている。
【００２２】
誘導加熱装置１は、作業用搬送路３の１つの作業工程の開始位置４に搬送路左右の位置に分かれて設けられる。誘導加熱装置１の形状はそれぞれ直方体であり、作業用搬送路３の両側の搬送路内に搬送機２の床部２０の床表面２０ｂの高さより高い高さ位置に設ける。左右の誘導加熱装置１の互いの間隔は、少なくとも車体載置部２３の幅より広く設け車体載置部２３に衝突しないように設けられる。
【００２３】
次に、この発明の実施形態である暖房システムの作動について説明する。作業用搬送路３は、この実施形態では図１に平面視細長い長方形である２つの循環閉鎖型の作業用搬送路３を示すが、作業用搬送路３の平面形状は循環型でなくてもよく限定はない。図１に示される実施形態では１つの細長い長方形からなる循環型の作業用搬送路３が２つ隣接して設けられ、それぞれの循環型の作業用搬送路３が順逆コースでそれぞれ２つの作業工程を有し、これらの作業用搬送路３、作業工程が複数集まって生産ラインが形成されている。１つの作業用搬送路３には多数の搬送機２が循環されており、図１では車体搬入位置３０において車体Ｂが車体載置部２２に載せられた後、順方向である搬送路３ａを矢印方向に移動し、加熱装置１が設置されている作業開始位置４へ向かう。
【００２４】
多数の搬送機２は、作業用搬送路３の左右に設置される低速モータによって作業用搬送路３中に順次押し出されて、それぞれ後方の搬送機２に押されて作業用搬送路３中を移動する。車体Ｂが載置された各搬送機２は、次の誘導加熱装置１がある作業開始位置４を通り過ぎ、誘導加熱装置１の下を通り抜けるが、この誘導加熱装置１の下を通り抜ける移動により搬送機２の鋼材からなる部分、例えば床枠部２０ａや床表面２０ｂが誘導加熱によって加熱される。この加熱温度は、室温乃至６０℃程度が適温である。
【００２５】
各々の搬送機２は、鋼材からなる床枠部２０ａや床表面２０ｂが適宜加熱された後、順次押されて作業者Ｐが搬送機２の床面に乗って順方向の作業用搬送路３ａを移動するが、加熱された床枠部２０ａや床表面２０ｂは、その後順次自然に放熱して床表面２０ｂ上で作業する作業者Ｐ近傍を下方から暖房しつつ順方向の作業用搬送路３ａの終端部までくる。順方向の作業用搬送路３ａの終端部では床枠部２０ａや床表面２０ｂは、放熱されて室温近くに戻る。
【００２６】
各搬送機２は、順方向の作業用搬送路３ａの終端部に設けられた回転台３１ａによって９０度角回転させられ、逆方向に戻る搬送路３ｂの始端部に設けられた回転台３１ｂで更に９０度角回転させて、逆方向の作業用搬送路３ｂに移動し、この逆方向の作業用搬送路３ｂを移動する。
【００２７】
逆方向の作業用搬送路３ｂは、加熱装置１が設けられている作業開始位置４に順方向の作業用搬送路３ａに設けられた加熱装置１と同様の誘導加熱装置１が設けられており、搬送機２は誘導加熱装置１の下を通り抜けて搬送機２の鋼材からなる部分、例えば床枠部２０ａや床表面２０ｂが誘導加熱によって加熱される。
【００２８】
誘導加熱装置１の下を通過した搬送機２各々は、鋼材からなる床枠部２０ａや床表面２０ｂが適宜加熱されるが、その後は加熱されないので、加熱された床枠部２０ａや床表面２０ｂは、順次自然に放熱して床表面２０ｂ上で作業する作業者Ｐ近傍を暖房しつつ逆方向の作業用搬送路３ｂの終端部近くまでくる。逆方向の作業用搬送路３ｂの終端部近傍では床枠部２０ａや床表面２０ｂは、放熱されて室温近くに戻る。
【００２９】
各々の搬送機２に載置されている車体は、逆方向の作業用搬送路３ｂの終端部近傍にある車体搬出位置３２で車体を搬出し、車体を次の工程に送り出すとともに、空になった搬送機２は、逆方向の作業用搬送路３ｂの終端部に設けられた回転台３３ａによって９０度角回転させ、更に順方向に戻る直線の始端部に設けられた回転台３３ｂで更に９０度角回転させて順方向の搬送路３ａに乗せられ車体載せ位置３０に至る。
【００３０】
各々の搬送機２は、それぞれ車体載せ位置３０において再び新たな車体Ｂを車体載置部２２に載せられた後、順方向である搬送路３ａを矢印方向に移動する。これらの工程を順次繰り返す。
【産業上の利用可能性】
【００３１】
この発明は、自動車車両の製造工場等の作業用搬送路を移動する搬送機を有する大規模空間を加熱する暖房システムとして利用可能性が高い。
【図面の簡単な説明】
【００３２】
【図１】この発明の実施形態について工場等の大規模空間に設けられる作業用搬送路の一例を示す平面説明図
【図２】この発明の実施形態について各作業用搬送路の作業工程の開始位置における１つの搬送機と加熱装置を示す平面説明図
【図３】同じく各作業用搬送路の作業工程の開始位置における１つの搬送機と加熱装置を示す側面説明図
【図４】同じく各作業用搬送路の作業工程の開始位置における１つの搬送機と加熱装置を示す正面説明図
【図５】同じく図２から搬送機が加熱装置の下を移動しつつ加熱されるところを示す平面説明図
【図６】同じく図５から更に搬送機が加熱装置の下を移動しつつ加熱されるところを示す平面説明図
【図７】同じく図５の側面説明図
【図８】同じく図６の側面説明図
【図９】従来の工場等の大規模空間に設けられる暖房システムの斜視説明図
【図１０】従来の工場等の大規模空間に設けられる暖房システムの一部断面側面説明図
【符号の説明】
【００３３】
１  加熱装置（誘導加熱装置）
２  搬送機
２０  床部
２０ａ  床枠部
２０ｂ  床表面
２１  走行車輪
２２  車体載置部
３  作業用搬送路
３０  車体搬入位置
３１ａ  回転部
３１ｂ  回転部
３２  車体搬出位置
３３ａ  回転部
３３ｂ  回転部
４  作業開始位置
Ｐ  作業者
Ｂ  搬送機上の車体
Ｆ  工場
【図１】
2010032177.tif 000003
【図２】
2010032177.tif 000004
【図３】
2010032177.tif 000005
【図４】
2010032177.tif 000006
【図５】
2010032177.tif 000007
【図６】
2010032177.tif 000008
【図７】
2010032177.tif 000009
【図８】
2010032177.tif 000010
【図９】
2010032177.tif 000011
【図１０】
2010032177.tif 000012